【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
作業者が把持するハンドル部と、該ハンドル部の前方に位置し動力源を収容する動力源収容部とを備えたケーシングと、該動力源収容部より前方に位置し前記動力源により駆動される先端工具と、を有する携帯用工具であって、
駆動情報を表示する駆動情報表示部又は／及び前記駆動情報表示部に表示される駆動情報を選択する操作スイッチ部が設けられた操作表示パネル部を有し、
前記操作表示パネル部を前記ケーシングの上下方向における頂部を結ぶ仮想線よりも凹んだ位置に配置したことを特徴とする携帯用工具。
【請求項２】
前記操作表示パネル部を前記ハンドル部より前方の前記ケーシングに設けたことを特徴とする請求項１記載の携帯用工具。
【請求項３】
前記操作表示パネル部を前記ケーシングの上面に設け、作業者が前記ハンドル部を把持した状態のままで前記操作スイッチ部を操作可能であることを特徴とする請求項１または２記載の携帯用工具。
【請求項４】
前記操作表示パネル部を設けた前記ケーシングの部分は前記ハンドル部側を向いていることを特徴とする請求項３に記載の携帯用工具。
【請求項５】
前記ケーシングは前記ハンドル部から前記動力源収容部に向かうに従って上向きに傾斜する傾斜部を有し、
前記操作表示パネル部を前記傾斜部に設けたことを特徴とする請求項１記載の携帯用工具。
【請求項６】
動力源を収容する動力源収容部および作業者により把持されるハンドルを備えたケーシングを有する携帯用工具であって、
複数の駆動情報を表示する駆動情報表示部と、前記駆動情報表示部に表示される複数の駆動情報のうち特定の駆動情報を選択する操作スイッチ部とが設けられた操作表示パネル部を設け、
複数の駆動情報を単一の駆動情報表示部により兼用するとともに、駆動情報の表示内容を単一の前記操作スイッチ部により切り換えることを特徴とする携帯用工具。
【請求項７】
前記操作スイッチ部の操作態様により前記駆動情報表示部による駆動情報の表示内容を切り換えることを特徴とする請求項６記載の携帯用工具。
【請求項８】
前記操作スイッチ部の操作時間を前記操作スイッチ部の操作態様として、前記操作時間により前記駆動情報の表示を前記操作スイッチ部により切り換えることを特徴とする請求項６または７記載の携帯用工具。
【請求項９】
前記操作スイッチ部の操作回数を前記操作スイッチ部の操作態様として、前記操作回数により前記駆動情報の表示を前記操作スイッチ部により切り換えることを特徴とする請求項６または７記載の携帯用工具。
【請求項１０】
前記動力源としての電動モータと当該電動モータに電力を供給する電池とを有し、前記駆動情報表示部は前記電池の残量を表示することを特徴とする請求項６〜９のいずれか１項に記載の携帯用工具。
【請求項１１】
前記動力源としての電動モータと当該電動モータに電力を供給する電池とを有し、前記駆動情報表示部は、前記電池の寿命を表示することを特徴とする請求項６〜１０のいずれか１項に記載の携帯用工具。
【請求項１２】
前記動力源としての電動モータと当該電動モータに電力を供給する電池とを有し、前記駆動情報表示部は、前記電動モータの寿命を表示することを特徴とする請求項６〜１０のいずれか１項に記載の携帯用工具。
【請求項１３】
前記駆動情報表示部は、先端工具の速度を表示することを特徴とする請求項６〜１０のいずれか１項に記載の携帯用工具。
【請求項１４】
前記駆動情報表示部は、複数の発光部を有し、前記発光部の点灯数により前記駆動情報表示部による駆動情報の表示内容を切り換えることを特徴とする請求項６〜１３のいずれか１項に記載の携帯用工具。
【請求項１５】
動力源を収容する動力源収容部および作業者により把持されるハンドルを備えたケーシングを有する携帯用工具であって、
複数の駆動情報を表示する駆動情報表示部と、前記駆動情報表示部に表示される複数の駆動情報のうち特定の駆動情報を選択する操作スイッチ部とが設けられた操作表示パネル部を有し、
前記操作スイッチ部の操作態様により前記駆動情報表示部による駆動情報の表示内容を切り換えることを特徴とする携帯用工具。
【手続補正２】
【補正対象書類名】明細書
【補正対象項目名】０００９
【補正方法】変更
【補正の内容】
【０００９】
本発明の携帯用工具は、作業者が把持するハンドル部と、該ハンドル部の前方に位置し動力源を収容する動力源収容部とを備えたケーシングと、該動力源収容部より前方に位置し前記動力源により駆動される先端工具と、を有する携帯用工具であって、駆動情報を表示する駆動情報表示部又は／及び前記駆動情報表示部に表示される駆動情報を選択する操作スイッチ部が設けられた操作表示パネル部を有し、前記操作表示パネル部を前記ケーシングの上下方向における頂部を結ぶ仮想線よりも凹んだ位置に配置したことを特徴とする。
【手続補正３】
【補正対象書類名】明細書
【補正対象項目名】００１０
【補正方法】変更
【補正の内容】
【００１０】
本発明の携帯用工具は、前記操作表示パネル部を前記ハンドル部より前方の前記ケーシングに設けたことを特徴とする。本発明の携帯用工具は、前記操作表示パネル部を前記ケーシングの上面に設け、作業者が前記ハンドル部を把持した状態のままで前記操作スイッチ部を操作可能であることを特徴とする。本発明の携帯用工具は、前記操作表示パネル部を設けた前記ケーシングの部分は前記ハンドル部側を向いていることを特徴とする。本発明の携帯用工具は、前記ケーシングは前記ハンドル部から前記動力源収容部に向かうに従って上向きに傾斜する傾斜部を有し、前記操作表示パネル部を前記傾斜部に設けたことを特徴とする。
【手続補正４】
【補正対象書類名】明細書
【補正対象項目名】００１１
【補正方法】変更
【補正の内容】
【００１１】
本発明の携帯用工具は、動力源を収容する動力源収容部および作業者により把持されるハンドルを備えたケーシングを有する携帯用工具であって、複数の駆動情報を表示する駆動情報表示部と、前記駆動情報表示部に表示される複数の駆動情報のうち特定の駆動情報を選択する操作スイッチ部とが設けられた操作表示パネル部を設け、複数の駆動情報を単一の駆動情報表示部により兼用するとともに、駆動情報の表示内容を単一の前記操作スイッチ部により切り換えることを特徴とする。
【手続補正５】
【補正対象書類名】明細書
【補正対象項目名】００１２
【補正方法】変更
【補正の内容】
【００１２】
本発明の携帯用工具は、前記操作スイッチ部の操作態様により前記駆動情報表示部による駆動情報の表示内容を切り換えることを特徴とする。本発明の携帯用工具は、前記操作スイッチ部の操作時間を前記操作スイッチ部の操作態様として、前記操作時間により前記駆動情報の表示を前記操作スイッチ部により切り換えることを特徴とする。本発明の携帯用工具は、前記操作スイッチ部の操作回数を前記操作スイッチ部の操作態様として、前記操作回数により前記駆動情報の表示を前記操作スイッチ部により切り換えることを特徴とする。本発明の携帯用工具は、前記動力源としての電動モータと当該電動モータに電力を供給する電池とを有し、前記駆動情報表示部は前記電池の残量を表示することを特徴とする。本発明の携帯用工具は、前記動力源としての電動モータと当該電動モータに電力を供給する電池とを有し、前記駆動情報表示部は、前記電池の寿命を表示することを特徴とする。本発明の携帯用工具は、前記動力源としての電動モータと当該電動モータに電力を供給する電池とを有し、前記駆動情報表示部は、前記電動モータの寿命を表示することを特徴とする。本発明の携帯用工具は、前記駆動情報表示部は、先端工具の速度を表示することを特徴とする。本発明の携帯用工具は、前記駆動情報表示部は、複数の発光部を有し、前記発光部の点灯数により前記駆動情報表示部による駆動情報の表示内容を切り換えることを特徴とする。
【手続補正６】
【補正対象書類名】明細書
【補正対象項目名】００１３
【補正方法】変更
【補正の内容】
【００１３】
本発明の携帯用工具は、動力源を収容する動力源収容部および作業者により把持されるハンドルを備えたケーシングを有する携帯用工具であって、複数の駆動情報を表示する駆動情報表示部と、前記駆動情報表示部に表示される複数の駆動情報のうち特定の駆動情報を選択する操作スイッチ部とが設けられた操作表示パネル部を有し、前記操作スイッチ部の操作態様により前記駆動情報表示部による駆動情報の表示内容を切り換えることを特徴とする。